【事件の表示】
　特願２００８−２８６３４７「レピア織機の緯入れ方法及びその装置」拒絶査定不服審判事件〔平成２２年５月２０日出願公開、特開２０１０−１１１９７３、請求項の数（４）〕について、次のとおり審決する。
【結　論】
　原査定を取り消す。
　本願の発明は、特許すべきものとする。
【理　由】
第１．手続の経緯
　本願は、平成２０年１１月７日の出願であって、平成２５年１月９日付けで拒絶理由が通知され、平成２５年３月８日に手続補正がされ、さらに平成２５年７月８日付けで拒絶理由が通知され、平成２５年９月１０日付けで手続補正がされ、平成２６年３月１２日付けで拒絶査定がされ、これに対し、平成２６年５月２２日付けで拒絶査定不服審判が請求されたものである。
　
第２．本願発明
　本願の請求項１ないし請求項４に係る発明は、平成２５年９月１０日付けの手続補正で補正された特許請求の範囲の請求項１ないし請求項４に記載された事項により特定されるものと認められるところ、本願の請求項１に係る発明（以下、「本願発明」という。）は以下のとおりである。
　　　　　《本願発明》
緯糸（２）が挿通される案内孔（４）を先端部に有する緯糸案内レバー（３）を含む緯糸案内機構（５）であって、織布（６）に連なる緯糸（２）をレピアヘッド（７）による捕捉が可能な位置へ案内する緯糸案内機構（５）を有する緯入れ装置（１）を備えたレピア織機による緯入れ方法であって、
前記緯糸案内機構（５）は、前記緯糸案内レバー（３）としての第１の案内レバー（３１）と、該第１の案内レバー（３１）よりも反織前側に設けられて前記第１の案内レバー（３１）との協働でレピアヘッド（７）による捕捉が可能な位置へ緯糸（２）を案内する第２の案内レバー（３２）を含み、前記第１の案内レバー（３１）が、経糸方向に関して織前（８）の近傍に設定された退避位置としての第１の位置（Ｐ１）と緯入れ方向に関して前記第１の位置（Ｐ１）と同じ位置で経糸方向に関してレピアヘッド（７）の走行経路上に設定された案内位置としての第２の位置（Ｐ２）とに前記案内孔（４）を選択的に位置させるように往復運動可能に構成されると共に、前記第２の案内レバー（３２）が、退避位置としての第３の位置（Ｐ３）と緯入れ開始時の位置である案内位置としての第４の位置（Ｐ４）との間で往復運動可能に構成されており、
緯入れ開始に先立ち、前記第１の案内レバー（３１）を前記案内孔（４）が前記第２の位置（Ｐ２）に位置するように移動させて緯糸（２）をレピアヘッド（７）の走行経路側へ移動させると共に、前記第２の案内レバー（３２）を前記第３の位置（Ｐ３）から前記第４の位置（Ｐ４）へ向けて移動させることにより、前記第２の位置（Ｐ２）に位置する前記案内孔（４）で案内されている緯糸（２）と係合して緯糸（２）をレピアヘッド（７）による捕捉可能な位置へもたらし、
筬（１２）による筬打ちが行われる前であってレピアヘッド（７）が経糸（９）の開口（１０）から抜け出た時点以降に、前記案内孔（４）が前記第１の位置（Ｐ１）へ向けて移動を開始するように前記第１の案内レバー（３１）を駆動し、
その前記第１の案内レバー（３１）の駆動時における動作態様を、筬（１２）と前記案内孔（４）との経糸方向における相対位置関係を製織許容範囲に収めるように設定する
ことを特徴とするレピア織機の緯入れ方法。
　
第３．原査定の理由
　１．平成２５年７月８日付け拒絶理由通知書に記載した理由の要旨
　本願発明は、その出願前に日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　記
　刊行物１．特開昭４８−５６９５２号公報
　刊行物２．特開平９−２６８４５３号公報
　
　２．拒絶査定の備考欄に記載した事項の要旨
　請求人は、意見書において、前記拒絶理由通知書で引用した刊行物１、２について、第１の案内レバーを本願発明のような第１の位置と第２の位置とに移動させることについて記載されていない旨を主張しているが、刊行物１に記載された発明は、第１の案内レバー（選別杆２ａ〜２ｄ）を上方の退避位置から下方の案内位置に移動させることで、緯糸を第２の案内レバー（係留レバー４）に係合させるものである。刊行物１の図１において、退避位置と案内位置の経糸方向の位置は明確ではないが、特に選別杆２ａのような第１の案内レバーについては、その進退方向からして、退避位置（第１の位置）の経糸方向の位置を織前の近傍に設定すると共に案内位置（第２の位置）の経糸方向の位置をレピアヘッドの走行経路上に設定することは、当業者であれば容易になし得たことである。
　
第４．当審の判断
　１．刊行物の記載事項
　刊行物１には、「無杼織機における多色緯糸の分離方法」の発明に関して以下の事項が図面とともに記載されている。
（１）（第１頁右下欄第１３行〜第２頁左上欄１７行）
「筬打ち後、次の緯入れの準備工程として適当なカードあるいはドビー機構によって作動される選別杆（２ａ）（２ｂ）（２ｃ）（２ｄ）のうち、いま第２図に示すように特定の選別杆（２ａ）のみが降下されるとチーズ（３ａ）より織端へ連なつている緯糸（Ｙａ）は、他の緯糸（Ｙｂ）（Ｙｃ）（Ｙｄ）と分離して係留レバー（４）の係留部と係合する位置へ変位される。
　続いて係留レバー（４）の下方変位によりその係留部によって第２図実線位置へ引き下げられた緯糸（Ｙａ）は、前記係留部と選別杆（２ａ）の糸目との間にほぼ鉛直状に張架されるとともに係留部から織端へいたる緯糸は、他の緯糸より下方に離間して位置することになる。　図示の実施例では織端からチーズへ連なる各緯糸は規制片（５）に係合して織前線位置が維持されているから、前記係留レバー（４）の引き下げにより緯糸は規制片（５）より上下方向に離間することとなる。
　前記緯糸（Ｙａ）の張架後、レイピア（１）の前進により緯糸（Ｙａ）はレイピア（１）の先端に係合されてチーズ（３ａ）より引き出されて緯入れされるとともに織巾のほぼ中央位置において反対側より侵入してきた緯糸搬送体に受け渡される際織布外側に位置するカツタにて切断され、切断端側を反対側の緯糸搬送体の後退運動によりしごきながら緯入れされるものである」
　
（２）（第２頁左上欄１７行〜同頁右上欄第１７行）
「上記レイピア（１）の前進と同期するかあるいは若干先行して、軸（６）を支点とした案内レバー（７）が上方待機位置より下方へ回動し、その下端に形成された円弧状のフック（８）が規制片（５）より選別杆（２ｂ）（２ｃ）（２ｄ）へ連なる緯糸（Ｙｂ）（Ｙｃ）（Ｙｄ）に係合し、これらの緯糸を規制片（５）の係留点よりも更に、第３図に示すように、機台前方へ連動して退ひさせる。　しかる後レイピア（１）が前進して緯糸（Ｙａ）を先端に係留し、経糸間に浸入するが織端へ連なる側の緯糸は規制片（５）のフック部を周回して屈曲し、レイピアが織巾のほぼ中央へ達して反対側杼口より浸入した他方のレイピアに緯糸を受け渡すとき、前記規制片（５）を周回して織端へ連なる側の緯糸部分が織端に近接してカツタ（９）により切断される。
　前記緯入れ作用の終了とともに、案内レバー（７）が上動して元位置へ戻り、そのフック（８）より離脱した他の緯糸は、緯糸の張力等によつて移行し、再び規制片のフック部に係合する状態に復帰する。」
　
（３）（第１図）
　係留レバー（４）が選別杆（２ａ）（２ｂ）（２ｃ）（２ｄ）より反織前側に設けられる態様が示されている。（第１図には符号（２ｂ）（２ｃ）（２ｄ）は記載されていないが、明細書、第２図及び第３図を参酌すれば、選別杆（２ａ）以外の選別杆が、選別杆（２ｂ）（２ｃ）（２ｄ）であることは明らかである。）
　
（４）（第２図）
　緯糸（Ｙａ）が挿通される糸目を先端部に有する選別杆（２ａ）と係留レバー（４）によって、緯糸（Ｙａ）をレイピア（１）の先端と係合する位置に変位する態様が示されている。
　
（５）（第３図）
　緯糸が係留レバー（４）によって引き下げられレイピア（１）の先端と係合可能となり、筬が未だ後方に位置している状態（筬打ち前）で、選択杆（２ａ）が他の選択杆と同じ位置（待機位置）に向けて上昇する態様が示されている。（第３図には、案内レバーの円弧状のフック（８）が緯糸（Ｙｂ）（Ｙｃ）（Ｙｄ）に係合し退避させている状態が図示されている。上記（２）の記載から、案内レバーが緯糸を退避させている状態は、緯入れ作用の終了前であることが分かる。筬打ちは、緯入れ終了後に行われる動作であるから、第３図が筬打ち前の状態を示していることは明らかである。）
　
　２．引用発明
　刊行物１の上記記載事項からみて、刊行物１には下記の発明（以下、「引用発明」という。［］内は本願発明の対応する事項）が記載されている。
　　　《引用発明》
緯糸が挿通される糸目［案内孔（４）］を先端部に有する選別杆［緯糸案内レバー（３）］を含む緯糸案内機構であって、織布に連なる緯糸をレイピアの先端［レピアヘッド（７）による］捕捉が可能な位置へ案内する緯糸案内機構を有する緯入れ装置を備えた無杼織機［レピア織機］による緯入れ方法であって、
　前記緯糸案内機構は、選別杆［前記緯糸案内レバー（３）としての第１の案内レバー（３１）］と、選別杆［該第１の案内レバー（３１）］よりも反織前側に設けられて前記選別杆［第１の案内レバー（３１）］との協働でレイピアの先端部との係合［レピアヘッド（７）による捕捉］が可能な位置へ緯糸を案内する係留レバー［第２の案内レバー（３２）］を含み、
　選別杆［第１の案内レバー（３１）］が、上方に設定された位置［退避位置としての第１の位置（Ｐ１）］と下方に設定された位置［案内位置としての第２の位置（Ｐ２）」とに糸目［案内孔（４）］を選択的に位置させるように往復運動可能に構成されると共に、係留レバー［第２の案内レバー（３２）］が、上方位置［退避位置としての第３の位置（Ｐ３）］と緯糸を引き下げ対置［緯入れ開始時の位置である案内位置としての第４の位置（Ｐ４）］との間で往復運動可能に構成されており、
　緯入れ開始に先立ち、前記選別杆［第１の案内レバー（３１）］を前記糸目［案内孔（４）］が下方［前記第２の位置（Ｐ２）］に位置するように移動させて緯糸をレイピアの先端部と係合する方向［レピアヘッド（７）の走行経路側］へ移動させると共に、前記係留レバー［第２の案内レバー（３２）］を上方位置［第３の位置（Ｐ３）］から下方[第４の位置（Ｐ４）］へ向けて移動させることにより、前記糸目［第２の位置（Ｐ２）に位置する前記案内孔（４）］で案内されている緯糸と係合して緯糸をレイピア先端部［レピアヘッド（７）］による捕捉可能な位置へもたらし、
　筬による筬打ちが行われる前に糸目［前記案内孔（４）］が上方［第１の位置（Ｐ１）］へ向けて移動を開始するよう選別杆［第１の案内レバー（３１）］が駆動される、
　無杼織機［レピア織機］による緯入れ方法。
　
　３．対比
　本願発明と引用発明とを対比すると、それらの一致点及び相違点は、次のとおりである。
　　　　《一致点》
　緯糸が挿通される案内孔を先端部に有する緯糸案内レバーを含む緯糸案内機構であって、織布に連なる緯糸をレピアヘッドによる捕捉が可能な位置へ案内する緯糸案内機構を有する緯入れ装置を備えたレピア織機による緯入れ方法であって、
前記緯糸案内機構は、前記緯糸案内レバーとしての第１の案内レバーと、該第１の案内レバーよりも反織前側に設けられて前記第１の案内レバーとの協働でレピアヘッドによる捕捉が可能な位置へ緯糸を案内する第２の案内レバーを含み、
前記第１の案内レバーが、退避位置としての第１の位置と案内位置としての第２の位置とに前記案内孔を選択的に位置させるように往復運動可能に構成されると共に、前記第２の案内レバーが、退避位置としての第３の位置と緯入れ開始時の位置である案内位置としての第４の位置との間で往復運動可能に構成されており、
緯入れ開始に先立ち、前記第１の案内レバーを前記案内孔が前記第２の位置に位置するように移動させて緯糸をレピアヘッドの走行経路側へ移動させると共に、前記第２の案内レバーを前記第３の位置から前記第４の位置へ向けて移動させることにより、前記第２の位置に位置する前記案内孔で案内されている緯糸と係合して緯糸をレピアヘッドによる捕捉可能な位置へもたらし、
筬による筬打ちが行われる前に前記案内孔が前記第１の位置へ向けて移動を開始するように前記第１の案内レバーを駆動する、
レピア織機の緯入れ方法。
　
　　　《相違点１》
　本願発明が、第１の案内レバー（３１）の退避位置としての第１の位置（Ｐ１）を「経糸方向に関して織前の近傍に設定」し、案内位置としての第２の位置（Ｐ２）を「緯入れ方向に関して前記第１の位置（Ｐ１）と同じ位置で経糸方向に関してレピアヘッド（７）の走行経路上に設定」しているのに対し、引用発明の選別杆の退避位置と案内位置はそのように設定されていない点。
　
　　　《相違点２》
　本願発明は、「レピアヘッド（７）が経糸（９）の開口（１０）から抜け出た時点以降に」案内孔（４）が第１の位置（Ｐ１）へ向けて移動を開始するように第１の案内レバー（３１）を駆動するとしているのに対し、引用発明は選別杆の上方への移動時点をそのように規定していない点。
　
　　　《相違点３》
　本願発明は、第１の案内レバー（３１）の駆動時における動作態様を、「筬（１２）と案内孔（４）との経糸方向における相対位置関係を製織許容範囲に収めるように設定する」としているのに対し、引用発明はそのような規定がなされていない点。
　
　４．相違点についての判断
（１）相違点１について
　ア．本願発明は、「緯糸案内部材と筬との位置関係に起因して生じる緯糸の屈曲や緯糸と筬等との摺動を可及的に少なくし、屈曲や摺動による緯糸の損傷を防止する」（明細書段落０００８）という課題を解決することを目的とする発明であり、第１の案内レバーの退避位置と案内位置の経糸方向の位置を本願発明のように特定することにより、「緯入れ開始に先立ち、前記緯糸案内レバーの前記案内孔を前記第２の位置に移動させることによって緯糸がレピアヘッドによる捕捉可能位置で案内されるようにし、レピアヘッドによる緯糸捕捉後の筬打ちが行われる前に、前記緯糸案内レバーを筬の前進運動の方向に駆動し、前記案内孔を前記第１の位置へ向けて移動させて、前記緯糸案内レバーと筬との位置関係に起因して生じる緯糸の屈曲や緯糸と筬等との摺動を可及的に少なくし、緯糸の屈曲や摺動による緯糸の損傷を防止する」（明細書段落０００９）作用効果を奏し、上記課題を解決するものである。
　
　イ．刊行物１の図１に記載された選別杆２ａの進退方向は、上下方向である。
　一方、相違点１に係る本願発明の構成である、第１の案内レバー（３１）の退避位置としての第１の位置（Ｐ１）を「経糸方向に関して織前の近傍に設定」し、案内位置としての第２の位置（Ｐ２）を「緯入れ方向に関して前記第１の位置（Ｐ１）と同じ位置で経糸方向に関してレピアヘッド（７）の走行経路上に設定」するためには、第１の案内レバーの進退方向を上下方向ではなく、経糸方向に沿った方向とする必要がある。
　しかし、刊行物１には、選別杆（本願発明の第１の案内レバーに相当）を経糸方向に沿って進退するように構成することは、示されていない。また、刊行物１には、「緯糸案内部材と筬との位置関係に起因して生じる緯糸の屈曲や緯糸と筬等との摺動を可及的に少なくし、屈曲や摺動による緯糸の損傷を防止する」という課題や、その課題が選別杆２ａを経糸方向に沿って進退する構成によって解決できることは、記載も示唆もされていない。
　刊行物１とともに拒絶理由に引用された刊行物２には、選択された緯糸をレピアヘッドに案内する糸通し孔を先端に有する案内ロッドが、経糸方向に関してレピアヘッドの走行経路よりも反織前側で上下方向に進退する構成は記載されているが、案内ロッドが経糸方向に沿って進退する構成は記載されていない。また、刊行物２には、本願発明が解決しようとする上記課題及びその解決手段について、記載も示唆もされていない。
　
ウ．そうすると、刊行物１及び刊行物２には、引用発明の選別杆を経糸方向に沿って進退する構成とすること、すなわち、選別杆の退避位置としての第１の位置（Ｐ１）を「経糸方向に関して織前の近傍に設定」し、案内位置としての第２の位置（Ｐ２）を「緯入れ方向に関して前記第１の位置（Ｐ１）と同じ位置で経糸方向に関してレピアヘッド（７）の走行経路上に設定」する構成にすることを動機付ける事項が記載または示唆されているということはできない。
　よって、相違点１に係る引用発明の構成を、相違点１に係る本願発明の構成に変更することが、当業者にとって容易であるということはできない。
　
（２）小活
　したがって、本願発明は、相違点２及び相違点３について検討するまでもなく、当業者が引用発明に基づいて容易に発明をすることができたとはいえない。
　
　５．請求項２ないし４に係る発明について
　本願の請求項２に係る発明は、本願発明をさらに技術的に限定した発明であり、本願発明が備える構成要件をすべて備えている発明である。したがって、本願発明が、引用発明に基づいて容易に発明をすることができたとはいえないのと同様の理由で、本願の請求項２に係る発明も、引用発明に基づいて容易に発明をすることができたとはいえない。
　本願の請求項３、４に係る発明は、請求項１、２で規定する事項をすべて具備している「レピア織機の緯入れ装置」に係る発明である。したがって、本願発明及び本願の請求項２に係る発明が、引用発明に基づいて容易に発明をすることができたとはいえないのと同様の理由で、本願の請求項３、４に係る発明も、引用発明に基づいて容易に発明をすることができたとはいえない。
　
第５　むすび
　以上のとおり、本願の請求項１ないし請求項４に係る発明は、引用発明に基づいて当業者が容易に発明をすることができたものではないから、原査定の理由によって、本願を拒絶することはできない。
　また、他に本願を拒絶すべき理由を発見しない。
　よって、結論のとおり審決する。